【手続補正書】
【提出日】平成29年8月22日(2017.8.22)
【手続補正１】
【補正対象書類名】明細書
【補正対象項目名】０００９
【補正方法】変更
【補正の内容】
【０００９】
上記の目的を達成するため、本発明の穿孔装置は、シートに穿孔を施す穿孔手段と、穿孔手段で穿孔されたシートの屑を収納する屑箱と、を有し、当該屑箱は、絶縁体で形成された第１の内壁部と、第１の内壁部の上方に配設され、導電体で形成された第２の内壁部と、を備えた。
【手続補正２】
【補正対象書類名】明細書
【補正対象項目名】００２１
【補正方法】変更
【補正の内容】
【００２１】
綴じ処理部４０は、綴じ手段４１が配設されている。綴じ手段４１には、シートを部揃え集積する処理トレイ４２と、このトレイに取り付けられた綴じ機構４３が設けられている。処理トレイ４２は下流側シートパス２４からのシートの後端部を積載支持する支持面を備えている。綴じ装置４３は、処理トレイ４２の一端側に設けられ、処理トレイ４２上に集積されたシートに綴じを施す。処理トレイ４２には搬送ベルト４４が設けられており、この搬送ベルト４４は処理トレイ４２の支持面に沿ってシート束を移送する。そして、綴じが施されたシート束が搬送ベルト４４で移送され、第１スタックトレイ２０上に積載収納される。また、綴じ処理部４０の上方には、後処理されることなく画像形成装置Ａから送られたシートを収納する第２スタックトレイ２１が設けられている。
【手続補正３】
【補正対象書類名】明細書
【補正対象項目名】００２２
【補正方法】変更
【補正の内容】
【００２２】
ここで、穿孔処理部３０について詳細に説明する。図２は、穿孔装置としての穿孔処理部３０の構成を示す拡大断面図である。穿孔処理部３０には、上述した穿孔手段３１と、シートを案内する上流側シートパス２３と、シート排出パス２２、上流側シートパス２３に沿ってシートを搬送する搬送ローラ対３２と、シート排出パス２２を案内されたシートを排出するための送出ローラ対２５と、を備えている。
【手続補正４】
【補正対象書類名】明細書
【補正対象項目名】００２５
【補正方法】変更
【補正の内容】
【００２５】
パンチ部材３４は、カムホルダ３８に回転軸３７によって揺動自在に取り付けられている。カムホルダ３８は、ロータリーカム（偏芯カム）３６に回転自在に取り付けられており、図示しない駆動源の駆動によって回転軸３７を回転駆動することにより、ロータリーカム３６を回転させている。そして、回転軸３７を１８０度回転させることにより、パンチ部材３４が上下に１往復して、穿孔処理が行われるようになっている。
【手続補正５】
【補正対象書類名】明細書
【補正対象項目名】００２７
【補正方法】変更
【補正の内容】
【００２７】
図３は屑箱５０を示す斜視図、図４は屑箱５０を示す断面図、図５は屑箱５０を示す上面図である。屑箱５０は、穿孔機構３３のダイス部材３４の下方に配置されており、後処理装置Ｂに対して着脱自在に設けられている。屑箱５０は、図３に示すように縦長の長方体形状に樹脂形成されており、その内側に穿孔機構３３により穿孔されたシート屑が落下して集積されるようになっている。また、屑箱５０の長手方向の一端側には、屑箱５０を後処理装置Ｂから引き出すために把手５１が設けられている。
【手続補正６】
【補正対象書類名】明細書
【補正対象項目名】００２８
【補正方法】変更
【補正の内容】
【００２８】
屑箱５０は、シート屑が集積される内側の内壁面の高さ方向の所定位置に導電性の部材を設け、屑箱５０における内壁面を樹脂性の絶縁体と導電性部材の導電体とで形成している。つまり、屑箱５０における内壁面の底面側を絶縁体で、その上側を導電体として内壁面の底面から所定の高さまでを２層に分けている。本実施の形態では、図３、図４に示すように導電性部材として金属のワイヤー５５を用いている。また、屑箱５０には、接地された上記導電性のワイヤー５５の他に屑箱５０内のシート屑が満杯になったか否かを検知する満杯検知センサ６０が設けられている。
【手続補正７】
【補正対象書類名】明細書
【補正対象項目名】００２９
【補正方法】変更
【補正の内容】
【００２９】
満杯検知センサ６０は、発光素子と受光素子を有する光学センサである。この満杯検知センサ６０は、屑箱５０上部の開口近傍で、屑箱５０の互いに向かい合う長手方向に沿った内壁面の一方面側に配置されている。また、満杯検知センサ６０の設けられた一方の内壁面に対向する他方の内壁面には反射板６１が設けられている。つまり、満杯検知センサ６０は、発光素子から発光された光を反射板６１で反射させ、反射した反射光を受光素子が受光するように構成されている。
【手続補正８】
【補正対象書類名】明細書
【補正対象項目名】００３０
【補正方法】変更
【補正の内容】
【００３０】
次に、導電性のワイヤー５５は、図３、図４に示すように満杯検知センサ５０の下側で、屑箱５０の高さ方向（鉛直方向）の略中央部分に内壁面の水平方向に沿って張り巡らせてある。具体的には、屑箱５０の内側の４つの内壁面には、その水平方向に沿って複数の取付部５２が形成されており、この取付部５２のそれぞれにワイヤー５５を支持する支持部材としての導電性の支持ネジ５３ａ〜５３ｅを取り付けている。そして、複数の支持ネジ５３ａ〜５３ｅの胴部に一本のワイヤー５５を順次巻き付けていくことで、ワイヤー５５を屑箱５０の内壁面の水平方向に沿って張り巡らせる。本実施の形態においては、第１の支持ネジ５３ａにワイヤー５５の一端部を巻き付け、第２の支持ネジ５３ｂ、第３の支持ネジ５３ｃ、第４の支持ネジ５３ｄの順に屑箱５０の内壁面に沿わせながら巻き付け、最後に第５の支持ネジ５３ｅにワイヤー５５の一端部を巻き付けるようにしている。
【手続補正９】
【補正対象書類名】明細書
【補正対象項目名】００３１
【補正方法】変更
【補正の内容】
【００３１】
なお、符号５４は屑箱５０の内壁面の各ネジ間に形成され、ワイヤー５５を内壁面側に規制する規制部材である。本実施の形態では、規制部材５４を鍵状のフックとし、ワイヤー５５を屑箱５０の内壁面との間に挟んで規制している。
【手続補正１０】
【補正対象書類名】明細書
【補正対象項目名】００３２
【補正方法】変更
【補正の内容】
【００３２】
また、屑箱５０における上記把手５１と異なる側の他端部の外側面には接地バネ５６が設けられている。この接地バネ５６は、螺旋状に巻かれた弾性部と線状に延設させた線状部からなり、接地バネ５６の線状部の端部は第３の支持ネジ５３ｃの胴部に巻き付けられている。これによって、第３の支持ネジ５３ｃの胴部でワイヤー５５と接地バネ５６が導通している。一方、接地バネ５６の弾性部の端部は、屑箱５０が後処理装置Ｂに装着された際に後処理装置Ｂの金属フレーム（図示せず）に接触し、金属フレームを介して接地されている。つまり、ワイヤー５５は接地バネ５６及び後処理装置Ｂの金属フレームを介して接地されており、屑箱５０内のシート屑に帯電した静電気を取り除くようになっている。
【手続補正１１】
【補正対象書類名】明細書
【補正対象項目名】００３４
【補正方法】変更
【補正の内容】
【００３４】
さらに、ワイヤー５５は満杯検知センサ６０よりも低い位置に張り巡らされているので、少なくともワイヤー５５よりも低い位置に落下したシート屑Ｓはワイヤー５５に吸い寄せられ、満杯検知センサ６０に貼り付くことが低減される。これによって、シート屑Ｓの貼り付きによる満杯検知センサ６０の誤検知の頻度も低減することができる。
【手続補正１２】
【補正対象書類名】特許請求の範囲
【補正対象項目名】全文
【補正方法】変更
【補正の内容】
【特許請求の範囲】
【請求項１】
シートに穿孔を施す穿孔手段と、
前記穿孔手段で穿孔されたシートの屑を収納する屑箱と、
を有し、
前記屑箱は、絶縁体で形成された第１の内壁部と、該第１の内壁部の上方に配設され、導電体で形成された第２の内壁部と、を有することを特徴とする穿孔装置。
【請求項２】
前記屑箱内のシートの屑を検出する検知手段を有し、
前記検知手段は、前記屑箱の前記第２の内壁部の上方に配置されていることを特徴とする請求項１に記載の穿孔装置。
【請求項３】
前記検出手段は、前記屑箱内にシートの屑が満杯であることを検出することを特徴とする請求項２に記載の穿孔装置。
【請求項４】
前記第１の内壁部と前記第２の内壁部とは、前記屑箱の４つの内壁のうち対向する２つの内壁に設けられていることを特徴とする請求項１乃至３のいずれか１項に記載の穿孔装置。
【請求項５】
導電体で形成された前記第２の内壁部を接地するための接地手段を有することを特徴とする請求項１乃至４のいずれか１項に記載の穿孔装置。
【請求項６】
前記第２の内壁部は、少なくとも前記屑箱の内壁の一端から他端にかけて延在される延在部材であることを特徴とする請求項１乃至５のいずれか１項に記載の穿孔装置。